(57)【要約】【課題】ハンドル操作による施錠時に自動的に補助ロックがなされるクレセントを提供する。【解決手段】枠体１内に設けられる内外障子のうち内障子４ａの召合せ框４３に設けられるクレセント１０であって、ボックス部１１にはハンドル１３の回動に伴い回転する回転体２１と、第１の位置と第２の位置との間でスライド操作可能な操作体５０が設けられ、操作体５０は、弾性体５４により第２の位置から第１の位置に向かう方向に付勢されると共に、回転体２１に形成される当接部２１ｄに隣接してその回転を阻止する回転阻止部５２と、第２の位置にある場合に回転体２１に係合して弾性体５４による付勢に対抗する係合部２１ｅとを備えてなる。【選択図】図７
2008231811.tif 000002
【特許請求の範囲】
【請求項１】
枠体内に設けられる内外障子のうち内障子の召合せ框に設けられるものであって、ハンドルと連動して回動する掛部と該掛部の回動機構を備えたボックス部とを有してなり、前記掛部は前記外障子の召合せ框に設けられる受部に係脱自在なクレセントにおいて、
前記クレセントのボックス部には、内部に前記ハンドルの回動に伴って回転する回転体が設けられると共に、外面に露出し第１の位置と第２の位置との間でスライド操作可能な操作体が設けられ、該操作体は、弾性体により前記第２の位置から第１の位置に向かう方向に付勢されると共に、前記ハンドルが施錠位置に回動された場合に前記回転体に形成される当接部に隣接してその回転を阻止する回転阻止部と、前記第２の位置にある場合に前記回転体に係合して前記弾性体による付勢に対抗する係合部とを備え、
前記操作体の係合部が前記回転体に係合した状態で前記ハンドルを回動させると、前記係合部の係合状態が解除されると共に、前記回転体により前記操作体が前記第２の位置側に保持され、前記ハンドルを施錠位置に回動させると、前記操作体は前記回転体による保持が解除されて前記弾性体の付勢により前記第１の位置に移動し、前記回転阻止部が前記当接部に隣接することを特徴とするクレセント。
【請求項２】
前記クレセントのボックス部には回動阻止機構が設けられ、該回動阻止機構は前記回転体の回転に伴って前記ボックス部から室外側に突出可能なトリガ部を有し、前記トリガ部は、前記ハンドルの回動に伴って、前記外障子の召合せ框に室内側に突出するように形成された突部より室外側まで突出すると前記ハンドルの回動をロックすることを特徴とする請求項１記載のクレセント。
【請求項３】
前記操作部の回転阻止部は、前記ボックス部の内部で室外側を向いた平面状の当接面を有し、前記回転体は略円盤状に形成されると共に、半径方向に突出した突出部を備え、該突出部の一側面を、前記掛部が受部に係合した状態で、前記第１の位置にある場合に前記当接面に当接する前記当接部としたことを特徴とする請求項１または２記載のクレセント。
【発明の詳細な説明】
【技術分野】
【０００１】
本発明は引き違い状の内外障子の召合せ框に設けられるクレセントに関し、特に空掛け防止機能及び自動ロック機能を有したクレセントに関する。
【背景技術】
【０００２】
従来から内外障子を引き違い状としてなるサッシが知られている。このようなサッシでは、内障子の召合せ框にクレセントを設け、外障子の召合せ框には受部を設け、クレセントのハンドルを回動させることで、それに連動して爪状の掛部が回動し、外障子の受部に係合して障子を施錠することができるようにされている。このようなクレセントを有した引き違い障子のサッシは例えば特許文献１に挙げるようなものがある。
【特許文献１】特開２００２−１８０７５５号公報
【０００３】
クレセントは、内外障子が閉じた状態でなければ掛部が受部に係合しないので、障子が開いた状態ではハンドルを回動させても空掛け状態となり施錠されない。このように、空掛け状態ともなるクレセントでは、ハンドルを回動させても施錠されないことがあるので、防犯上好ましくない。また、空掛け状態で障子を走行させると、爪状の掛部が障子の框に傷を付けたり変形したりすることがある。そこで本件出願人は、クレセントのボックス部にハンドルの回動に伴って室外側に突出するトリガ部を設けると共に、掛部側には室内側に向かって突出する突部を設け、トリガ部は内外障子が閉じた状態でハンドルを回動させると掛部側の突部に当接し、トリガ部が突部に当接するとハンドルに対するロックを解除し、トリガ部が突部に当接することなくさらに突出するとハンドルをロックする回動阻止機構を設けたクレセントを発明した。
【発明の開示】
【発明が解決しようとする課題】
【０００４】
ここで、クレセントが施錠状態となっている際に、ハンドルの回動を防止して防犯性を高める補助ロックが用いられる。補助ロックの操作は、ハンドルの操作とは独立して行われる。すなわち、クレセントを施錠する際には、まずハンドルを回動して掛部を受部に係合させ、次に補助ロックをスライド操作してハンドルの回動をロックする。
【０００５】
しかし、このような補助ロックであると、ハンドルをロックするためには２つの動作が必要となるため、その操作を忘れてしまうことがあって、防犯性が充分確保されない場合があった。また、上述した空掛け状態を防止する機能を有したクレセントでは、ハンドルが回動したという動作を持って施錠が確実に行われたと認識し、２つ目の動作である補助ロックの操作を忘れがちになるという傾向もあった。
【０００６】
本発明は、上記課題を解決すべくなされたものであり、ハンドル操作による施錠時に自動的に補助ロックがなされるクレセントを提供することを目的とする。
【課題を解決するための手段】
【０００７】
上記課題を解決するため、本発明に係るクレセントは、枠体内に設けられる内外障子のうち内障子の召合せ框に設けられるものであって、ハンドルと連動して回動する掛部と該掛部の回動機構を備えたボックス部とを有してなり、前記掛部は前記外障子の召合せ框に設けられる受部に係脱自在なクレセントにおいて、
前記クレセントのボックス部には、内部に前記ハンドルの回動に伴って回転する回転体が設けられると共に、外面に露出し第１の位置と第２の位置との間でスライド操作可能な操作体が設けられ、該操作体は、弾性体により前記第２の位置から第１の位置に向かう方向に付勢されると共に、前記ハンドルが施錠位置に回動された場合に前記回転体に形成される当接部に隣接してその回転を阻止する回転阻止部と、前記第２の位置にある場合に前記回転体に係合して前記弾性体による付勢に対抗する係合部とを備え、
前記操作体の係合部が前記回転体に係合した状態で前記ハンドルを回動させると、前記係合部の係合状態が解除されると共に、前記回転体により前記操作体が前記第２の位置側に保持され、前記ハンドルを施錠位置に回動させると、前記操作体は前記回転体による保持が解除されて前記弾性体の付勢により前記第１の位置に移動し、前記回転阻止部が前記当接部に隣接することを特徴として構成されている。
【０００８】
また、本発明に係るクレセントは、前記クレセントのボックス部には回動阻止機構が設けられ、該回動阻止機構は前記回転体の回転に伴って前記ボックス部から室外側に突出可能なトリガ部を有し、前記トリガ部は、前記ハンドルの回動に伴って、前記外障子の召合せ框に室内側に突出するように形成された突部より室外側まで突出すると前記ハンドルの回動をロックすることを特徴として構成されている。
【０００９】
さらに、本発明に係るクレセントは、前記操作部の回転阻止部は、前記ボックス部の内部で室外側を向いた平面状の当接面を有し、前記回転体は略円盤状に形成されると共に、半径方向に突出した突出部を備え、該突出部の一側面を、前記掛部が受部に係合した状態で、前記第１の位置にある場合に前記当接面に当接する前記当接部としたことを特徴として構成されている。
【発明の効果】
【００１０】
本発明に係るクレセントによれば、クレセントのボックス部には回転体と操作体が設けられ、操作体は回転阻止部及び係合部を備えると共に、弾性体により第２の位置から第１の位置に向かって付勢され、操作体の係合部が回転体に係合した状態でハンドルを回動させると、係合部の係合状態が解除されると共に、回転体により操作体が第２の位置側に保持され、ハンドルを施錠位置に回動させると、操作体は回転体による保持が解除されて弾性体の付勢により第１の位置に移動し、回転阻止部が当接部に隣接することにより、ハンドル操作による施錠時に自動的に補助ロックがなされるようにすることができる。また、ハンドル操作による開錠時には、操作体を回転体に係合させるように補助ロックを手動で解除する必要があるので、防犯性も充分に確保することができる。
【００１１】
また、本発明に係るクレセントによれば、クレセントのボックス部には回動阻止機構が設けられ、回動阻止機構は回転体の回転に伴ってボックス部から室外側に突出可能なトリガ部を有し、トリガ部は、ハンドルの回動に伴って、外障子の召合せ框に室内側に突出するように形成された突部より室外側まで突出するとハンドルの回動をロックすることにより、操作体をロックする回転体を用いて、空掛け防止の回動阻止機構を構成することができる。
【００１２】
さらに、本発明に係るクレセントによれば、操作部の回転阻止部は、ボックス部の内部で室外側を向いた平面状の当接面を有し、回転体は略円盤状に形成されると共に、半径方向に突出した突出部を備え、突出部の一側面を、掛部が受部に係合した状態で、第１の位置にある場合に当接面に当接する当接部としたことにより、ハンドル操作に伴って確実に当接部を回転阻止部に当接させることができる。
【発明を実施するための最良の形態】
【００１３】
本発明の実施形態について、図面に沿って詳細に説明する。図１は本実施形態におけるサッシを室内側から見た正面図である。この図に示すように、本実施形態におけるサッシは、建物開口部に方形状の枠体１を設け、その内部に２枚の障子４、４を引き違い状に納めてなるものである。
【００１４】
障子４は上框４０と下框４１及び左右の縦框４２、４２を方形状に框組みしてなる框体２にガラス体３を納めてなるものである。そして、内障子４ａの召合せ框４３にはクレセント１０が設けられ、外障子４ｂの召合せ框４３には受金具１５が設けられる。
【００１５】
クレセント１０は、召合せ框４３に固定されるボックス部１１と、ボックス部１１に回動自在に取付けられたハンドル１３と、ハンドル１３に固定され共に回動する爪状の掛部１２とを備えている。受金具１５は、内障子４ａと外障子４ｂが閉じた状態でクレセント１０の掛部１２が回動することで係合する受部１６を備えている。
【００１６】
図２には、クレセント１０を室外側から見た正面図を示している。この図に示すように、ボックス部１１は上下方向に長い箱状に形成されており、ハンドル１３はボックス部１１に隣接するように回動自在に設けられている。また、掛部１２はハンドル１３が上向きに配置されているときに室外面となる面に取付けられている。
【００１７】
ボックス部１１内部にはハンドル１３を回動させる回動機構と、掛部１２の空掛け状態の場合にハンドル１３の回動をロックする回動規制機構２０とが納められている。また、図２に示すように、回動規制機構２０の一部であるトリガ部２３がハンドル１３の回動に伴って突出するための開口部１１ａがボックス部１１の室外面に２か所設けられている。本実施形態では、上側の開口部１１ａからトリガ部２３が突出する。回動規制機構２０の詳細については後述する。
【００１８】
図３には、受金具１５を室内側から見た正面図を示している。受金具１５は、図３で示す右半分は召合せ框４３に対する固定部１７として形成され、左半分はクレセント１０の掛部１２に対する受部１６として形成されている。受部１６は方形状で中央部が中空状とされた枠形状に形成されており、左端部にはクレセント１０の掛部１２に係合する被係合部１６ａを有している。また、受部１６の室内面には樹脂材からなる金具カバー３０が設けられている。
【００１９】
金具カバー３０は、受部１６を略覆うように中央部を中空状とした枠形状に形成されている。ただし、被係合部１６ａは室内側に露出させるようにしている。また、金具カバー３０には、その上部から被係合部１６ａと中空状の部分を介して対向する側部にかけて略Ｌ字状に突出させた突起部３１が形成され、さらにそれと上下対称形状となるように下部にも同様に突起部３１が形成される。これにより金具カバー３０は、受部１６の被係合部１６ａよりも見付方向外側位置に突起部３１が形成されていることになる。またその突起部３１は、被係合部１６ａに対して水平位置が上方及び下方に位置している。
【００２０】
図４には内障子４ａと外障子４ｂを閉じた状態における召合せ框４３、４３の横断面図であって、クレセント１０による施錠がなされていない状態の図を示している。この図に示すように、この状態ではクレセント１０のハンドル１３は下向きに配置され、また掛部１２は室内側に配置されている。外障子４ｂの受部１６に形成された被係合部１６ａは、内障子４ａと外障子４ｂを閉じた状態でクレセント１０の掛部１２に対向する位置に配置されている。また、金具カバー３０に形成された突起部３１は、クレセント１０のボックス部１１に対向する位置に配置されている。
【００２１】
図５には図４の状態からクレセント１０による施錠を行った状態の図を示している。この図に示すように、この状態ではクレセント１０のハンドル１３は上向きに配置され、また掛部１２は受部１６の被係合部１６ａに係合している。ここで、クレセント１０のボックス部１１からはその内部に設けられた回動規制機構２０のトリガ部２３が突出し、その先端部２３ａが金具カバー３０の突起部３１の先端部３１ａに当接している。
【００２２】
このように、内障子４ａと外障子４ｂが完全に閉じた状態で、クレセント１０の掛部１２が受部１６の被係合部１６ａに係合可能な状態においては、クレセント１０のハンドル１３の回動に伴ってボックス部１１から室外側に向かって突出するトリガ部２３が、受部１６の被係合部１６ａよりも見付方向外側に形成された金具カバー３０の突起部３１に当接し、これによって回動規制機構２０はハンドル１３の回動に対するロックを解除する。すなわち、内障子４ａと外障子４ｂが完全に閉じた状態では、クレセント１０のハンドル１３は、回動規制機構２０に回動を規制されることなく掛部１２が受部１６の被係合部１６ａに係合する位置まで回動させることができる。
【００２３】
図６には内障子４ａと外障子４ｂが閉じていない状態における召合せ框４３、４３の横断面図を示している。この図に示すように、この状態でクレセント１０のハンドル１３を回動させると、ボックス部１１から回動規制機構２０のトリガ部２３が突出し、この場合はトリガ部２３の突出方向に突起部３１のような障害物がないため、図５の場合よりさらに室外側まで突出する。すると、回動規制機構２０はハンドル１３の回動をロックし、それ以上ハンドル１３を施錠方向に回動できないようにする。これにより内障子４ａと外障子４ｂが完全には閉じていない際に生じるクレセントの空掛けを防止することができる。
【００２４】
図６の状態において、クレセント１０のハンドル１３をロックされた状態で保持したまま内障子４ａまたは外障子４ｂを移動させ、完全に閉じた状態にしようとすると、クレセント１０側のトリガ部２３が受部１６側の突起部３１に干渉する。しかし、トリガ部２３はハンドル１３がロックされた状態でも室内側に押圧すると引っ込むように形成されており、またトリガ部２３の先端部２３ａと突起部３１の先端部３１ａはいずれも角部が面取りされて多角形状に形成されていることにより、ハンドル１３がロックされたまま内障子４ａまたは外障子４ｂを移動させても、トリガ部２３は突起部３１に対し傾斜状に当接する。そのため、突起部３１によってトリガ部２３がボックス部１１内部に押し込まれ、それにより図５の状態となって回動規制機構２０によるハンドル１３のロックは解除される。
【００２５】
さらに、内障子４ａと外障子４ｂが図６の状態よりも大きく開いており、トリガ部２３が受部１６の被係合部１６ａよりも内障子４ａの見付方向内側位置に向かって突出した場合においても、突起部３１は受部１６の被係合部１６ａよりも上方及び下方に形成されており、そのうち上方に形成された突起部３１に対して当接するようにトリガ部２３が設けられているので、ボックス部１１から室外側に突出したトリガ部２３は、受部１６の被係合部１６ａに干渉することがない。そのため、この場合においてもハンドル１３がロックされた状態のまま障子４、４を移動させて完全に閉めた状態にすることができる。
【００２６】
このように、受部１６において被係合部１６ａよりも見付方向外側位置に突起部３１が形成され、一方クレセント１０のボックス部１１からトリガ部２３が突出して突起部３１に当接することでハンドル１３に対するロックを解除するようにしたことで、掛部１２は空掛け防止機能を有しないクレセントのものと同様であり、回動規制機構２０が室外側から見えないようにすることができるので、防犯上の効果が高いサッシとすることができる。また、トリガ部２３及び突起部３１の水平位置が、受部１６の被係合部１６ａに対して上方または下方とされていることにより、障子が完全には閉じておらずトリガ部２３が突出した状態のまま障子を移動させても、受部１６の被係合部１６ａと干渉することがなく、トリガ部２３により受部１６を破損させる恐れのないサッシとすることができる。
【００２７】
次に、ボックス部１１の内部構造について説明する。図７はボックス部１１の内部構造を示したクレセント１０の正面図である。この図は、掛部１２が受部１６に係合した状態における各部材の配置を示している。図７に示すように、ボックス部１１の内部には、ハンドル１３と連動して回動する回転体２１と、この回転体２１と連係しスライドするスライド部２２と、スライド部２２にネジ止めによって取付けられスライド部２２のスライドに伴ってボックス部１１の開口部１１ａから外側に突出するトリガ部２３とが納められて回動規制機構２０を構成している。ここで、スライド部２２はバネ２４によってトリガ部２３の突出方向に付勢された状態となっている。また、回転体２１もバネ２５によって回転方向に付勢された状態となっている。回転体２１には、突起状の掛止部２１ｆが形成されており、バネ２５はこの掛止部２１ｆに対して引っ掛けて固定される。
【００２８】
回動阻止機構２０を構成する回転体２１とスライド部２２及びトリガ部２３についてより詳細に説明する。図８には、クレセント１０の開錠状態における回動阻止機構２０の正面図を示している。この図に示すように、回動規制機構２０を構成する回転体２１は、略円盤状に形成されると共に、スライド部２２と対向する面（図８における背面側）には、切欠状の係止部２１ａが形成されている。また、係止部２１ａと同じ面には、棒状に突出した被押圧部２１ｂが形成されている。一方、スライド部２２の回転体２１と対向する面には回転体２１の方に向かって突出するストッパ２２ａが形成され、さらに回転体２１の被押圧部２１ｂに圧接するように配置された切欠状の押圧部２２ｂとが形成されている。上述のようにスライド部２２は、トリガ部２３の突出方向にバネにより付勢されており、図８の状態においては、スライド部２２の押圧部２２ｂが回転体２１の被押圧部２１ｂを押圧し、その反力によりスライド部２２が静止している。
【００２９】
図９には、図８の状態からハンドル１３を回動させた回動規制機構の正面図を示している。回転体２１は、ハンドル１３の回動に伴って回転し、被押圧部２１ｂが外側に向かって移動する。それに伴って、外側に向かって付勢されたスライド部２２も外側に向かって移動し、トリガ部２３はボックス部１１の開口部１１ａから大きく突出する。これは、トリガ部２３の突出に対する障害物がない場合であり、内障子４ａと外障子４ｂが完全には閉じていない場合に図９の状態となる。すると、回転体２１の係止部２１ａがスライド部２２のストッパ２２ａに当接し、それ以上回転体２１が回動できなくなる。すなわち、ハンドル１３がロックされた状態となる。
【００３０】
図１０は、トリガ部２３が金具カバー３０の突起部３１に当接した状態を示している。すなわち、この場合は、内障子４ａと外障子４ｂが完全に閉じた状態となっている。トリガ部２３の先端部２３ａが突起部３１の先端部３１ａに当接すると、スライド部２２及びトリガ部２３はそれ以上外側に向かって移動しないようになる。この状態では、スライド部２２のストッパ２２ａも内側で静止した状態となるので、回転体２１の係止部２１ａはスライド部２２のストッパ２２ａと干渉することがなく、回転体２１は自在に回動することができる。
【００３１】
このように、トリガ部２３がハンドル１３の回動に伴ってボックス部１１から大きく突出し、外障子４ｂの召合せ框４６に室内側に突出するように形成された突起部３１より室外側まで突出すると、スライド部２２によりハンドル１３の回動をロックするようにしたので、内障子４ａと外障子４ｂが完全には閉じていない状態で、クレセントを空掛け状態とすることを防止することができる。
【００３２】
図７に示すように、ボックス部１１には、上下方向にスライド自在な補助ロックとして機能する操作体５０が設けられる。この補助ロックは、掛部１２が受部１６に係合した状態におけるハンドル１３が、回動できないようにロックするためのものである。操作体５０は、ボックス部１１に対する位置が第１の位置からそれより上方の第２の位置までスライドできるように、ボックス部１１に保持されている。図７において操作体５０は、第１の位置に配置されており、ハンドル１３が回動できないようにロックした状態となっている。
【００３３】
また、操作体５０には、ボックス部１１の外面に露出して使用者が上下方向にスライド操作することのできる操作部５１と、ボックス部１１の内部に張り出すように形成され所定の場合に回転体２１に当接してその回転を阻止する機能を有する回転阻止部５２と、ボックス部１１の内部に爪状に形成され所定の場合に回転体２１に係合することのできる係合部５３と、回転体２１側に向かって延設されたアーム部５５が形成されている。操作体５０は、弾性体５４により、ボックス部１１内において第２の位置から第１の位置に向かう方向、すなわち図中下方向に向かって常時付勢された状態となっている。また、アーム部５５は、回転体２１の突出部２１ｃと干渉しないように、操作体５０の紙面手前側にのみ形成されている。
【００３４】
ボックス部１１を構成する壁面であって、操作体５０が設けられる面には、表示部１１ｂが設けられる。表示部１１ｂは、ボックス部１１の壁面に埋設されて表面が外方に露出しており、ボックス部１１とは異なる色、例えば緑色に彩色されている。また、表示部１１ｂは操作体５０が第１の位置にある場合に、操作体５０の上端よりも上方となるように配置されている。したがって、操作体５０が第１の位置にある場合、すなわちハンドル１３の回動をロックしているときには、外部に露出してロック状態にあることを視認できるようにしている。一方で、操作体５０が第２の位置側に移動した場合、表示部１１ｂは操作体５０によって覆われ、これを外方から視認することはできない。
【００３５】
回転体２１には、回動規制機構２０として機能するための係止部２１ａ及び被押圧部２１ｂの他に、ハンドル１３の回動に伴って操作体５０を自動的にスライドさせるための機構が設けられている。図８に示すようにそのための機構として、回転体２１には円周方向の一部が半径方向に突出した突出部２１ｃが形成されている。突出部２１ｃのうち、操作体５０と対向する面は、所定の場合に回転阻止部５２に当接する平面状の当接部２１ｄとされている。また、回転体２１の係止部２１ａが形成された側の面には、操作体５０の係合部５３が係合することのできる切欠状の被係合部２１ｅが形成されている。さらに、回転体２１には、前述の掛止部２１ｆに隣接した位置に突起状のアーム保持部２１ｇが形成されている。このアーム保持部２１ｇ及び掛止部２１ｆは、突出するように形成されているため、回転体２１の回転に伴って操作体５０のアーム部５５と連係することができる。
【００３６】
次に、ハンドル１３の回動に伴う操作体５０の動作について説明する。まず、掛部１２が受部１６に係合した状態、すなわち施錠状態であって補助ロックがかかっている状態から、補助ロックを解除し開錠状態となるまでの動作について説明する。図１１は、施錠状態であって補助ロックがかかっている状態におけるクレセント１０の内部構造を表した正面図である。これ以降の図においては、簡単のため回動阻止機構２０の構成については省略して示す。
【００３７】
図１１に示すように、クレセント１０が施錠状態となっている場合には、回転体２１はボックス部１１内において突出部２１ｃが最上部となる回転方向位置に配置されている。また、操作体５０はボックス部１１に対して第１の位置に配置されている。この状態においては、回転体２１の突出部２１ｃに形成された当接部２１ｄが操作体５０の回転阻止部５２に形成される平面状の当接面５２ａに隣接しているため、回転体２１は図中左回り方向に回転することができない。すなわち、この状態ではハンドル１３が開錠方向に回動させることができないようにロックされている。また、このロック状態においては、操作部５１の上端がボックス部１１に設けられる表示部１１ｂよりも下方にあるため、表示部１１ｂが外方に露出した状態となっている。これによってハンドル１３がロック状態にあることを外方から視認することができる。
【００３８】
図１２は、施錠状態であって補助ロックを解除した状態におけるクレセント１０の内部構造を表した正面図である。この図に示すように、操作体５０の操作部５１をスライド操作し、操作体５０を第１の位置からそれより上方の第２の位置に移動させると、操作体５０の係合部５３は回転体２１の被係合部２１ｅに対して係合する。これによって、第２の位置から第１の位置に向かう方向に弾性体５４により付勢されている操作体５０を、第２の位置で静止させることができる。
【００３９】
また、操作体５０を第１の位置からそれより上方の第２の位置に移動させると、回転阻止部５２も回転体２１の突出部２１ｃに隣接した位置より上方に移動する。これにより、回転体２１は当接面５２ａとの隣接状態が解除され、図中左回りに回転することができるようになる。すなわち、この状態ではハンドル１３を開錠方向に回動させることができる。さらに、操作体５０を第１の位置から第２の位置に移動させると、操作部５１は表示部１１ｂの表面を覆い隠すため、表示部１１ｂが外方から見えない状態となる。これによってハンドル１３がロックされていないことを外方から視認することができる。
【００４０】
図１３は、図１２の状態に対してハンドル１３を１０°だけ開錠方向に回動させた状態におけるクレセント１０の内部構造を表した正面図である。この図に示すように、ハンドル１３を開錠方向に回動させると、それに伴って回転体２１も回転する。操作体５０の係合部５３は、回転体２１の被係合部２１ｅに対する係合状態を、図１３に示すハンドル１３を１０°だけ開錠方向に回動させた状態まで維持する。
【００４１】
図１４は、図１２の状態に対してハンドル１３を４５°だけ開錠方向に回動させた状態におけるクレセント１０の内部構造を表した正面図である。この図に示すように、ハンドル１３を図１３の状態からさらに開錠方向に回動させると、操作体５０の係合部５３による回転体２１の被係合部２１ｅに対する係合状態は解除される。この際、弾性体５４により下方に付勢された操作体５０は、第１の位置側に向かって移動するが、アーム部５５の先端部付近が回転体２１の掛止部２１ｆに対して当接することで、回転体２１による付勢に対抗する支持がなされ、操作体５０はそれ以上下方に移動しないように規制されて、第２の位置側に留まる。そして、この状態においても、操作部５１は表示部１１ｂの表面を覆っており、表示部１１ｂが外方から見えないようにしている。
【００４２】
図１５は、図１２の状態に対してハンドル１３を９０°だけ開錠方向に回動させた状態におけるクレセント１０の内部構造を表した正面図である。この図に示すように、ハンドル１３を図１４の状態からさらに開錠方向に回動させると、回転体２１の掛止部２１ｆは円周方向に移動して図１４の状態よりも上方に位置し、掛止部２１ｆに支持された操作体５０のアーム部５５もそれに伴って上方に移動する。これによって操作体５０は、図１４の状態よりも第２の位置側に若干移動する。この場合においても、操作部５１は表示部１１ｂの表面を覆っているので、表示部１１ｂは外方から見えない状態となっている。
【００４３】
図１６は、図１２の状態に対してハンドル１３を１３５°だけ開錠方向に回動させた状態におけるクレセント１０の内部構造を表した正面図である。この図に示すように、ハンドル１３を図１５の状態からさらに開錠方向に回動させると、回転体２１のアーム保持部２１ｇがアーム部５５を支持した状態となり、引き続き回転体２１により操作体５０を支持する。
【００４４】
図１７は、ハンドル１３を開錠の位置まで回動させた状態におけるクレセント１０の内部構造を表した正面図である。ハンドル１３を開錠の位置まで回動させると、回転体２１はボックス部１１内において突出部２１ｃが最下部となる回転方向位置となる。また、操作体５０は、アーム部５５の根元部が回転体２１のアーム保持部２１ｇに支持された状態となり、第２の位置側の状態が保持される。
【００４５】
図１７の状態からハンドル１３を施錠方向に回動させると、回転体２１はアーム保持部２１ｇ及び掛止部２１ｆにより操作体５０を支持しつつ回転し、順に図１６、図１５、図１４に示す状態となる。図１８は、図１７の状態に対してハンドル１３を１６５°だけ施錠方向に回動させた状態におけるクレセント１０の内部構造を表した正面図である。この図に示すように、ハンドル１３を図１４に示す状態からさらに施錠方向に回動させると、掛止部２１ｆが円周方向に移動することにより、操作体５０のアーム部５５は回転体２１により支持されない状態となり、操作体５０が弾性体５４の付勢により第１の位置側に向かって移動する。しかし、操作体５０の回転阻止部５２の下面が回転体２１の突出部２１ｃの上面に当接するため、操作体５０はそれ以上第１の位置側に移動することが規制される。すなわち、掛止部２１ｆによるアーム部５５の支持が解除された後は、突出部２１ｃにより回転阻止部５２が支持されることで、引き続き操作体５０が回転体２１に支持された状態となり、第２の位置側の状態が保持される。
【００４６】
図１９は、図１７の状態に対してハンドル１３を１７５°だけ施錠方向に回動させた状態におけるクレセント１０の内部構造を表した正面図である。この図に示すように、ハンドル１３を図１８に示す状態からさらに施錠方向に回動させると、この図に示すハンドル１３の回動位置まで、回転体２１の突出部２１ｃによる操作体５０の回転阻止部５２の保持が維持される。なお、図１７の状態から図１９の状態に至るまで、操作体５０は第２の位置側に保持されているので、操作部５１がボックス部１１の表示部１１ｂを常に覆った状態となっており、表示部１１ｂは外方から見えない状態となっている。
【００４７】
さらにハンドル１３を回動させて掛部１２が受部１６に係合、すなわち施錠状態とすると、図１１に示すように操作体５０の回転体２１による支持が解除されて、操作体５０は弾性体５４の付勢により第１の位置に移動する。これによって回転阻止部５２の当接面５２ａが回転体２１の当接部２１ｄに当接した状態となり、ハンドル１３の開錠方向への回動をロックする。また、操作体５０が第１の位置に移動したのに伴って、ボックス部１１の表示部１１ｂが露出し、ハンドル１３がロックされたことを視認することができる。
【００４８】
このように、ハンドル１３の回動に伴って回転する回転体２１と、ボックス部１１に設けられるスライド自在な操作体５０との連係によって、クレセント１０を施錠する方向にハンドル１３を操作すると、操作体５０が自動的にハンドル１３の回動をロックするように動作するようにしたので、空掛け防止機能を有しつつも、施錠時に自動的に補助ロックをかけることができるので、クレセントの防犯性を高めることができる。また、ハンドル１３を開錠方向に操作する際には、操作体５０を手動で操作する必要があるため、防犯性をより高くすることができる。また、操作体５０が第１の位置にあるときには表示部１１ｂが露出し、操作体５０がスライド操作されて第１の位置から第２の位置に移動した後は、再びハンドル１３が施錠位置に回動されて操作体５０が第１の位置に移動するまで、表示部１１ｂが操作部５１に覆われた状態となるので、操作体５０によりハンドル１３の回動がロックされているか否かを外方から容易に視認することができる。
【００４９】
また、回転体２１の回転により、回動阻止機構２０による空掛け防止と、操作体５０によるハンドル１３の自動的な補助ロックとを機能させるようにしているので、クレセントに対してこれらの機能を選択的に設けるようにすることもできる。これまで説明した実施形態では、クレセントに空掛け防止機能と自動的な補助ロック機能の両方を設けることとしたが、トリガ部２３を設けず、またボックス部１１の開口部１１ａを塞ぐことで、空掛け防止機能を有さず、自動的な補助ロック機能のみを有するクレセントとすることもできる。また、操作体５０を係合部５３を有しないものと置換し、かつ弾性体５４を設けないようにすることで、自動的な補助ロック機能を有さず、空掛け防止機能のみを有するクレセントとすることもできる。さらには、これら両方の機能を有しないクレセントとすることもできる。これらは、使用者の必要性に応じて適宜選択することができる。
【００５０】
以上、本発明の実施形態について説明したが、本発明の適用は本実施形態には限られず、その技術的思想の範囲内において様々に適用されうるものである。本実施形態では、本発明を引き違いサッシに適用したが、これに限られずクレセントを用いるサッシであれば適用できる。例えば、内外障子の一方を走行自在とし、他方を嵌め殺しとしたサッシや上げ下げ窓サッシなどにも適用することができる。
【図面の簡単な説明】
【００５１】
【図１】本実施形態におけるサッシを室内側から見た正面図である。
【図２】クレセントを室外側から見た正面図である。
【図３】受金具を室内側から見た正面図である。
【図４】内障子と外障子を閉じた状態における召合せ框の横断面図であって、クレセントによる施錠がなされていない状態の図である。
【図５】図４の状態からクレセントによる施錠を行った状態の図である。
【図６】内障子と外障子が閉じていない状態における召合せ框の横断面図である。
【図７】ボックス部の内部構造を示したクレセントの正面図である。
【図８】クレセントの開錠状態における回動阻止機構の正面図である。
【図９】図８の状態からハンドルを回動させた回動規制機構の正面図である。
【図１０】トリガ部が金具カバーの突起部に当接した状態の回動規制機構の正面図である。
【図１１】施錠状態であって補助ロックがかかっている状態におけるクレセントの内部構造を表した正面図である。
【図１２】施錠状態であって補助ロックを解除した状態におけるクレセントの内部構造を表した正面図である。
【図１３】図１２の状態からハンドルを開錠方向に１０°回動させた状態におけるクレセントの内部構造を表した正面図である。
【図１４】図１２の状態からハンドルを開錠方向に４５°回動させた状態におけるクレセントの内部構造を表した正面図である。
【図１５】図１２の状態からハンドルを開錠方向に９０°回動させた状態におけるクレセントの内部構造を表した正面図である。
【図１６】図１２の状態からハンドルを開錠方向に１３５°回動させた状態におけるクレセントの内部構造を表した正面図である。
【図１７】ハンドルを開錠の位置まで回動させた状態におけるクレセントの内部構造を表した正面図である。
【図１８】図１７の状態からハンドルを施錠方向に１６５°回動させた状態におけるクレセントの内部構造を表した正面図である。
【図１９】図１７の状態からハンドルを施錠方向に１７５°回動させた状態におけるクレセントの内部構造を表した正面図である。
【符号の説明】
【００５２】
１    枠体
２    框体
３    ガラス体
４    障子
１０    クレセント
１１    ボックス部
１２    掛部
１３    ハンドル
１５    受金具
１６    受部
２０    回動規制機構
２１    回転体
２１ａ  係止部
２１ｂ  被押圧部
２１ｃ  突出部
２１ｄ  当接部
２１ｅ  被係合部
２１ｆ  掛止部
２１ｇ  アーム保持部
２２    スライド部
２２ａ  ストッパ
２２ｂ  押圧部
２２ｃ  固定部
２３    トリガ部
２３ａ  先端部
２３ｂ  根元部
２４    バネ
３０    金具カバー
３１    突起部
５０    操作体
５１    操作部
５２    回転阻止部
５２ａ  当接面
５３    係合部
５４    弾性体
５５    アーム部
【図１】
2008231811.tif 000003
【図２】
2008231811.tif 000004
【図３】
2008231811.tif 000005
【図４】
2008231811.tif 000006
【図５】
2008231811.tif 000007
【図６】
2008231811.tif 000008
【図７】
2008231811.tif 000009
【図８】
2008231811.tif 000010
【図９】
2008231811.tif 000011
【図１０】
2008231811.tif 000012
【図１１】
2008231811.tif 000013
【図１２】
2008231811.tif 000014
【図１３】
2008231811.tif 000015
【図１４】
2008231811.tif 000016
【図１５】
2008231811.tif 000017
【図１６】
2008231811.tif 000018
【図１７】
2008231811.tif 000019
【図１８】
2008231811.tif 000020
【図１９】
2008231811.tif 000021